(57)【要約】【課題】  木枠がＭＤＦのような柔らかい素材でも、木枠と開口枠との間の隙間の調整が確実にできる木枠調整用木ねじを提供する。【解決手段】  本発明の木枠調整用木ねじ１０は、ねじ込み用の頭部１１と、該頭部から延びる軸体１２と、該軸体の先端側に形成されたねじ部１３と、前記軸体のねじ部１３と前記頭部１１との間に形成された無ねじ部１４と、該無ねじ部に形成された１の鍔部１５とを有する。【選択図】      図１
2009264395.tif 000002
【特許請求の範囲】
【請求項１】
ねじ込み用の頭部と、該頭部から延びる軸体と、該軸体の先端側に形成されたねじ部と、前記軸体のねじ部と前記頭部との間に形成された無ねじ部と、該無ねじ部に形成された１の鍔部とを有することを特徴とする木枠調整用木ねじ。
【請求項２】
前記頭部が、ほぼ平らな頂面にドライバ溝を有し、頭部の前記軸体側が軸体と傾斜面によって接続し、該傾斜面に複数のカット刃を有することを特徴とする請求項１に記載の木枠調整用木ねじ。
【請求項３】
前記カット刃が、ねじ込み方向の前後両側に傾斜面を有し、ねじ込み方向の前側の傾斜面が緩やかで、ねじ込み方向の後側の傾斜面が急峻であることを特徴とする請求項２に記載の木枠調整用木ねじ。
【請求項４】
前記軸体の先端側に形成されたねじ部の先端部に、前記ねじ部のねじ山と中心軸に対する角度の異なるねじ山を形成したことを特徴とする請求項１から３のいずれかに記載の木枠調整用木ねじ。
【発明の詳細な説明】
【技術分野】
【０００１】
本発明は、木枠と相手側部材との間の間隔を調整する木枠調整用木ねじに関し、特に、木枠としてＭＤＦ（中密度繊維板）を使用した場合に適した木ねじに関する。
【背景技術】
【０００２】
図５は、建物等の壁１に形成された開口枠２に木枠３を取り付ける状態を示す図である。同図に示すように、開口枠２は、施工の誤差や部品の誤差から、若干歪んでしまうことがある。このような開口枠２に矩形の木枠３を取り付け、四隅を木ねじ４で固定すると、木枠３も直角度が出ていない状態で取り付けられ、この状態のまま、窓やドア５等を取り付けると、ドア５が入らなかったり、入っても隙間６ができたりしてしまう。
【０００３】
そこで、木枠３を開口枠２に固定する際に、木枠３と開口枠２との間隔を調整して木枠３の水平と垂直を出し、ドア５等が隙間無く入るようにする必要がある。
【０００４】
このような要請に対し、特許文献１（特公平７−９１９２３号公報）に、図６に示すような木枠調整用木ねじ４を使用する方法が記載されている。この木枠調整用木ねじ４は、軸体４ａの先端側にねじ込み用の螺旋状ねじ山４ｂが形成され、軸体４ａの頭部４ｃ側には複数のフランジ状の薄肉リング４ｄを形成したものである。
【０００５】
図７及び図８によりその使用方法を説明する。木枠３は、図７に示すように、内側の木枠本体３ａと合板部３ｂとから構成されている。そして、図５に示す木枠３の縦桟の内側で角部に近い位置に凹部３ｃが形成され、ここから図６の木枠調整用木ねじ４がねじ込まれる。図７において、木枠調整用木ねじ４は木枠本体３ａと合板部３ｂとを貫通し、さらに壁１の開口に取り付けられた木製の開口枠２にねじ込まれる。木枠調整用木ねじ４が開口枠２にねじ込まれるとき、薄肉リング４ｄはねじ込みの抵抗となるが、ねじ山４ｂのねじ込み力が打ち勝って薄肉リング４ｄは木枠３に食い込まれるように進み、図７に示すように木枠３が開口枠２に密着した状態までねじ込まれる。薄肉リング４ｄは、木枠３内に止まっている。
【０００６】
木ねじ４は、図５に示すように４個所にあることから、総ての木ねじ４を図７に示すように木枠３が開口枠２に密着するように締め付けると、木枠３は開口枠２と同様に歪んでしまう。
【０００７】
そこで、水準器等によって木枠３の垂直を見ながら、図８に示すようにドライバ７で木ねじ４を緩めると、木枠３が開口枠２から離反し始める。木枠３の垂直が出た位置で木枠調整用木ねじ４の回転を止め、木枠３と開口枠２との間の隙間６に接着剤等を詰めれば、木枠３を完全に開口枠２に固定することができる。
【０００８】
しかし、上記の従来技術においては、次のような問題がある。木枠調整用木ねじ４を緩めるとき、木枠調整用木ねじ４は図８に示すように図の右側に移動するが、このとき、薄肉リング４ｄが木枠３を図８の右側に移動させようとする。しかし、薄肉リング４ｄは木枠３の組織を破壊して内部に入っており、木枠調整用木ねじ４を逆転させることで、再度組織を破壊するので、木枠３との結合力が弱くなっている。そのため、薄肉リング４ｄが移動しても、木枠３は薄肉リング４ｄと同じ距離の移動をせず、木枠調整用木ねじ４の頭部４ｃが図８に示すようにｄだけ浮いてしまう。その結果、隙間６の間隔ｓを正確にとっても、頭部４ｃの浮きｄが不安定な状態となって木枠３に歪みを残す原因となる、という問題である。
【０００９】
このような問題を解決するものとして、特許文献２（特許第３２１７６８５号）がある。ここでは、薄肉リング４ｄに代えて、ねじ山４ｂと逆向きの逆ねじ山を形成している。こうすることで、図８に示すように木枠調整用木ねじ４を緩めるとき、逆ねじ山と木枠３とが一体で動き、浮きｄが発生しなくなる。
【特許文献１】特公平７−９１９２３号
【特許文献２】特許第３２１７６８５号
【発明の開示】
【発明が解決しようとする課題】
【００１０】
ところで、木枠３として、最近、ＭＤＦ（中密度繊維板）が使用されることがある。このＭＤＦは、木質繊維を原料とする成型板（ファイバーボード）の一種の木材で、チップを細かく裁断し、蒸煮・解繊したものに接着剤となる合成樹脂を加えて板状に成形したものである。
【００１１】
ＭＤＦは、表面は非常に固いが、内部は柔らかいという特徴がある。そのため、特許文献１に記載の木ねじを使用すると、木ねじ４を緩めるとき、薄肉リング４ｄがＭＤＦの柔らかな内部を粉砕し、木枠３を移動することができなくなってしまう。また、特許文献２に記載の木ねじの場合は、逆ねじ山がＭＤＦの柔らかな内部で空回りして、やはり、木枠３を移動することができなくなってしまう。
【００１２】
本発明は、斯かる実情に鑑み、木枠がＭＤＦのような柔らかい素材でも、木枠と開口枠との間の隙間の調整が確実にできる木枠調整用木ねじを提供することを目的としている。
【課題を解決するための手段】
【００１３】
上記の目的を達成するために本発明の木枠調整用木ねじは、ねじ込み用の頭部と、該頭部から延びる軸体と、該軸体の先端側に形成されたねじ部と、前記軸体のねじ部と前記頭部との間に形成された無ねじ部と、該無ねじ部に形成された１の鍔部とを有することを特徴としている。
【００１４】
前記頭部が、ほぼ平らな頂面にドライバ溝を有し、頭部の前記軸体側が軸体と傾斜面によって接続し、該傾斜面に複数のカット刃を有する構成とすることができる。
【００１５】
前記カット刃が、稜線の両側に傾斜面を有し、ねじ込み方向の前側の傾斜面が緩やかで、ねじ込み方向の後側の傾斜面が急峻である構成としたり、前記軸体の先端側に形成されたねじ部の先端部に、前記ねじ部のねじ山とピッチの異なるねじ山を形成した構成とすることができる。
【発明の効果】
【００１６】
本発明の木枠調整用木ねじを、ＭＤＦの木枠にねじ込み、木枠を貫通して開口枠にねじ込む。木枠調整用木ねじが所定の位置までねじ込まれると、鍔部が木枠を貫通して反対側に突出した状態となり、木枠は開口枠に密着した状態となる。この状態から木枠調整用木ねじを逆方向に回転すると、木枠調整用木ねじは開口枠から抜け出て、鍔部が木枠に圧接し、木枠を押し戻し、木枠と開口枠との間に隙間ができる。木枠調整用木ねじの逆回転量を加減することで、隙間を所望の量に調整し、木枠の垂直又は水平を出すことができる。木枠の位置が決まったら、隙間には接着剤等を注入して固化することで、木枠と開口枠との間隔を保持することができる。
【００１７】
木枠調整用木ねじの頭部に傾斜面を形成し、この傾斜面にカット刃を形成すると、頭部で座堀りをしながらねじ込むことができる。カット刃がねじ込み方向の両側に傾斜面を有し、ねじ込み方向の前側の傾斜面が緩やかで、ねじ込み方向の後側の傾斜面が急峻である構成とすれば、カット刃の作用を緩やかにし、柔らかなＭＤＦでも組織の破損を必要最小限にすることができる。
【００１８】
ねじ部の先端部に、前記ねじ部のねじ山と中心軸に対する角度の異なるねじ山を形成した構成とすると、開口枠が固い素材からなる場合でも、ねじ込みが容易にできるようになる。
【発明を実施するための最良の形態】
【００１９】
以下、本発明の実施の形態を添付図面を参照して説明する。
【００２０】
図１は、本発明の木枠調整用木ねじの図で、（ａ）は正面図、（ｂ）は右側面図、（ｃ）は（ａ）のＡ−Ａ断面図である。
【００２１】
本発明の木枠調整用木ねじ１０は、頭部１１と、この頭部１１から延びる軸体１２と、軸体１２の尖った先端側から頭部側に向けて形成されたねじ部１３と、ねじ部１３と頭部１１との間に形成された無ねじ部１４と、無ねじ部に形成された１つの鍔部１５とを有する。頭部１１には、ドライバなどによってねじ込むための十字溝１１ａが形成されている。鍔部１５は、頭部１１側が大径の平面になっている。頭部１１の軸体１２側は、傾斜面になっていて、ここに多数のカット刃１６が形成されている。ねじ部１３の先端部には、角度の異なる第２のねじ１７が形成されている。すなわち、ねじ山が木ねじ１０の中心軸ａに対して成す角を、ねじ部１３のねじでは角１８で、第２のねじ１７では角１９としたとき、角１８＞角１９となるようにしている。
【００２２】
図２は、カット刃１６の１つを拡大した図である。矢印は木枠調整用木ねじ１０のねじ込み方向を示している。ここに示すように、カット刃１６は、稜線１６ｃが切刃となり、その前後に傾斜面１６ａ、１６ｂがある。これらの傾斜面のうち、ねじ込み方向の前側傾斜面１６ａの方が後側傾斜面１６ｂより勾配がゆるくなっている。
【００２３】
図３及び図４は、本発明の木枠調整用木ねじ１０の使用方法を説明する図である。木枠２１は、ＭＤＦからなるもので、木枠調整用木ねじ１０をねじ込む穴２１ａが予め掘削されている。そして、穴２１ａの底面２１ｃから木枠２１の下面までの距離Ｗが、図１に示す頭部１１の頂面から鍔部１５の上面１５ａまでの距離Ｗと一致するように設定されている。
【００２４】
開口枠２２は、木材で従来例に示した開口枠２に相当するものである。開口枠２２の木枠２１と面する側には、下地パッキン２３が固定されている。
【００２５】
穴２１ａの底面に木枠調整用木ねじ１０の先端を当て、ドライバーで、軸方向に押圧しながらねじ込むと、ねじ部１３の先端部分から木枠２１にねじ込まれていく。ねじ部１３の先端は、やがて、木枠２１を貫通し、下地パッキン２３にねじ込まれ、下地パッキン２３を通過してさらに、開口枠２２にねじ込まれていく。ねじ部１３の先端にピッチの異なる第２のねじ１７を形成しておくと、下地パッキン２３や開口枠２２が固い素材であっても、ねじ込み易くすることができる。
【００２６】
ねじ部１３の先端が開口枠２２にねじ込まれるとき、鍔部１５も木枠２１内を通過することになる。鍔部１５が木枠２１内を通過する際は、鍔部１５がねじ込みの抵抗となるが、鍔部１５の形状が先端側が細い円錐台形状なので、ねじ部１３のねじ込みの力の方が大きく、鍔部１５はＭＤＦ製の木枠２１内を通過していく。そして、木枠調整用木ねじ１０の頭部１１が穴２１ａの底面２１ｃに達すると、鍔部１５が木枠２１の下面２１ｂから突出した状態となる。木枠２１には、鍔部１５が通過した孔が貫通しているが、この孔の径は鍔部１５が通過すると弾性等によって、小さく縮小する。同時に、図３（ａ）に示すように、木枠２１は下地パッキン２３に圧接した状態となる。
【００２７】
図３（ａ）の状態では、木枠２１の位置は所望の位置ではない。そこで、次に木枠調整用木ねじ１０を逆方向に回転する。すると、ねじ部１３が逆転するので、木枠調整用木ねじ１０は、図３の上方に移動する。
【００２８】
本発明の木材調整用木ねじ１０は、鍔部１５が木枠２１内を通過してきたが、木枠２１内に止まっていないので、木枠２１がＭＤＦなどの柔らかな素材であっても、組織の破壊を最小限にすることができる。そして、鍔部１５が木枠２１を通過すると、鍔部１５が通過した孔は、弾性などによって急速にその径を小さくする。したがって、木材調整用木ねじ１０を逆転したとき、鍔部１５の上面１５ａは木枠２１の下面２１ｂに圧接し、鍔部１５が再び木枠２１内に入ることはない。
【００２９】
すなわち、鍔部１５は、木枠２１の下面２１ｂに圧接し、木枠調整用木ねじ１０が逆転するときの上昇に合わせて木枠２１を図３の上方に移動し、図３（ｂ）に示すように、木枠２１と下地パッキン２３との間に間隔がＳの隙間２５が形成される。水準器などによって、木枠２１の垂直度あるいは水平度を調整し、所定の位置で木材調整用木ねじ１０の回転を停止する。その後、隙間２５に接着剤などを充填することで、木枠２１と開口枠２２との間の隙間２５の間隔Ｓを固定することができる。
【００３０】
隙間２５が所定の大きさになったとき、ねじ部１３が開口枠２２にねじ込まれた状態なので、木材調整用木ねじ１０は、軸方向には移動できない状態である。また、木枠２１は、木材調整用木ねじ１０の頭部１１と鍔部１５に挟持されているので、木枠２１と木材調整用木ねじ１０との間も移動できない状態に保たれる。したがって、木枠２１と開口枠２２との間隔も一定に保つことができる。
【００３１】
図２及び図４によって、次にカット刃１６についての説明をする。カット刃１６は、頭部１１の頂面が木枠２１の穴２１ａの底面２１ｃと面一になるように座掘りをするためのものである。ねじ込み方向の前後に傾斜面１６ａ、１６ｂがあり、これらの間の稜線１６ｃで木枠２１をカットする。木枠２１が固い材質の場合には、座掘りし易いようにねじ込み方向の前側の傾斜面１６ａの勾配を急峻にし、後側の傾斜面１６ｂの勾配を緩くする。しかし、本発明の木材調整用木ねじ１０は、ＭＤＦ製の木枠２１に適したものとするために、カット刃１６の前側の傾斜面１６ａの勾配を緩くし、後側の傾斜面１６ｂを急峻にしている。すなわち、通常のカット刃とは逆向きのカット刃とし、切れ味を悪くすることで、木枠２１の組織の破壊を必要最小限にするようにしている。
【００３２】
なお、このカット刃１６であるが、カット刃１６が無くても、座堀りをして所定の深さまでねじ込むことができる場合や、予め木枠２１の方に頭部が入るすり鉢状の穴を形成している場合等には、カット刃１６を形成しなくてもよい。
【図面の簡単な説明】
【００３３】
【図１】本発明の木枠調整用木ねじの図で、（ａ）は正面図、（ｂ）は右側面図、（ｃ）は（ａ）のＡ−Ａ断面図である。
【図２】カット刃の１つを拡大した図である。
【図３】（ａ）、（ｂ）は、本発明の木枠調整用木ねじの使用方法を説明する図である。
【図４】本発明の木枠調整用木ねじを木枠に螺合した状態を示す要部拡大図である。
【図５】建物等の壁に形成された開口枠に木枠を取り付ける状態を示す図である。
【図６】従来の木枠調整用木ねじの図である。
【図７】図６の木枠調整用木ねじを締め付けた状態を示す図である。
【図８】図７で締め付けた後、木枠調整用木ねじを逆転して隙間を形成した図である。
【符号の説明】
【００３４】
１      壁
７      ドライバ
１１    頭部
１１ａ  十字溝
１２    軸体
１３    ねじ部
１４    無ねじ部
１５    鍔部
１６    カット刃
１６ａ  前側の傾斜面
１６ｂ  後側の傾斜面
１６ｃ  稜線
１７    第２のねじ
２１    木枠
２２    開口枠
２３    下地パッキン
２５    隙間
【図１】
2009264395.tif 000003
【図２】
2009264395.tif 000004
【図３】
2009264395.tif 000005
【図４】
2009264395.tif 000006
【図５】
2009264395.tif 000007
【図６】
2009264395.tif 000008
【図７】
2009264395.tif 000009
【図８】
2009264395.tif 000010